(57)【特許請求の範囲】
【請求項１】
電動送風機の吸引力が作用する吸引口と下方開口の吸込室を有した吸込具本体と、
前記吸込室内に回転自在に設けられた回転ブラシと、
前記回転ブラシを回転駆動させる電動機と、を備え、
前記吸込室の天面に、前記回転ブラシの回転方向に沿って下降する傾斜面を内部に有した溝部Ａを、前記回転ブラシ径の投影範囲内で、かつ前記吸込室の長手方向に沿って配設した電気掃除機。
【請求項２】
前記吸込室の天面に、前記回転ブラシ径の投影範囲内で、前記吸引口に向けて下降する傾斜面を内部に有した溝部Ｂを備え、長手方向に沿って配設した前記溝部Ａ内部の傾斜面の両端部と前記溝部Ｂ内部の傾斜面とが各々接続するように配設した請求項１に記載の電気掃除機。
【請求項３】
前記吸込室の天面を形成する部品を、第１の部品とこの第１の部品の周囲を取り囲む第２の部品とで形成し、前記溝部Ａおよび前記溝部Ｂは、共に前記第１の部品と前記第２の部品との接合により形成した請求項２に記載の電気掃除機。
【請求項４】
前記第１の部品を透明にした請求項３に記載の電気掃除機。
【発明の詳細な説明】
【技術分野】
【０００１】
本発明は、吸込具本体内に回転ブラシを設けた電気掃除機に関するものである。
【背景技術】
【０００２】
特許文献１では、回転ブラシを配した吸込室をカバーと収納凹部内に配しており、このカバー及び、収納凹部には凹凸は無く、スムーズな面により構成されている。特許文献２でも、回転ブラシを配した吸込室を上部材と下部材により構成し、吸込室内天面は凹凸無くスムーズな面で構成されている。
【先行技術文献】
【特許文献】
【０００３】
【特許文献１】特許第４９０４２２８号公報
【特許文献２】特許第４５０７３５２号公報
【発明の概要】
【発明が解決しようとする課題】
【０００４】
特許文献１特許文献２に開示の技術は、吸込室内に凹凸があると流れる気流がこの凹凸に当たり気流を乱し、乱流となりゴミ取れ性が良くないため、吸込室内面には凹凸面を無いようにしているが、常に気流が一方向にしか流れないため、回転ブラシのブラシについた綿ゴミが気流では取れにくく、カーペット等に回転ブラシのブラシについた綿ゴミが再付着するいという課題があった。
【０００５】
本発明は、上記課題を解決するもので、吸込室の天面に、回転ブラシ方向へ気流を誘導する傾斜面を有した溝を設け、気流を回転ブラシに当てることにより、回転ブラシのブラシについた綿ゴミを除去し、集塵性能が良く、使い勝手のよい電気掃除機を提供することを目的とする。
【課題を解決するための手段】
【０００６】
上記のような課題を解決するために、本発明の電気掃除機用は、電動送風機の吸引力が作用する吸引口と下方開口の吸込室を有した吸込具本体と、前記吸込室内に回転自在に設けられた回転ブラシと、前記回転ブラシを回転駆動させる電動機と、を備え、前記吸込室の天面に、前記回転ブラシの回転方向に沿って下降する傾斜面を内部に有した溝部Ａを、前記回転ブラシ径の投影範囲内で、かつ前記吸込室の長手方向に沿って配設したことで、前記吸込室内で天面に流れる気流を前記回転ブラシのブラシに当てて、ブラシについた綿
ゴミを除去することができ、集塵性能が良く、使い勝手のよい電気掃除機を提供する。
【発明の効果】
【０００７】
本発明の電気掃除機は、吸込具本体の吸込室の天面に、回転ブラシ方向へ気流を誘導する傾斜面を有した溝を設け、吸込室内で天面に流れる気流を回転ブラシに当てることにより、回転ブラシのブラシについた綿ゴミを除去し、集塵性能が良く、使い勝手のよい電気掃除機を提供することができる。
【図面の簡単な説明】
【０００８】
【図１】本発明の実施の形態１における電気掃除機の全体構成を示す斜視図
【図２】同、電気掃除機の吸込具本体の要部側断面図
【図３】本発明の実施の形態２における吸込具本体の前面方向の要部断面図
【図４】本発明の実施の形態３における吸込具本体の要部側断面図
【図５】同、吸込具本体の前面方向の要部断面図
【発明を実施するための形態】
【０００９】
第１の発明は、電動送風機の吸引力が作用する吸引口と下方開口の吸込室を有した吸込具本体と、前記吸込室内に回転自在に設けられた回転ブラシと、前記回転ブラシを回転駆動させる電動機と、を備え、前記吸込室の天面に、前記回転ブラシの回転方向に沿って下降する傾斜面を内部に有した溝部Ａを、前記回転ブラシ径の投影範囲内で、かつ前記吸込室の長手方向に沿って配設したことで、前記吸込室内で天面に流れる気流を前記回転ブラシのブラシに当てて、ブラシについた綿ゴミを除去することができ、集塵性能が良く、使い勝手をよくすることができる。
【００１０】
第２の発明は、特に第１の発明において、前記吸込室の天面に、前記回転ブラシ径の投影範囲内で、前記吸引口に向けて下降する傾斜面を内部に有した溝部Ｂを備え、長手方向に沿って配設した前記溝部Ａ内部の傾斜面の両端部と前記溝部Ｂ内部の傾斜面とが各々接続するように配設したことにより、吸込室内で天面に流れる気流を回転ブラシの毛に当てて、ブラシについた綿ゴミを除去することができ、集塵性能が良く、使い勝手をよくすることができる。
【００１１】
第３の発明は、特に第２の発明において、前記吸込室の天面を形成する部品を、第１の部品とこの第１の部品の周囲を取り囲む第２の部品とで形成し、前記溝部Ａおよび前記溝部Ｂは、共に前記第１の部品と前記第２の部品との接合により形成したことにより、吸込室内で天面に流れる気流を回転ブラシの毛に当てて、ブラシについた綿ゴミを除去することができ、集塵性能が良く、使い勝手をよくすることができる。
【００１２】
第４の発明は、特に第３の発明において、前記第１の部品を透明にしたことで、吸込室内の回転ブラシを使用者に見せることができ、また、第１の部品と第２の部品との２材質成形時における不透明部材の溶けに対応することができ、見栄えのよい電気掃除機とすることができる。
【００１３】
以下、本発明の実施の形態について、図面を参照しながら説明する。なお、この実施の形態によって本発明が限定されるものではない。
【００１４】
（実施の形態１）
本発明の実施の形態１における電気掃除機について、図１から図２を用いて説明する。図１は、本実施の形態における電気掃除機の全体構成を示す斜視図であり、図２は、同電気掃除機の吸込具本体の要部側断面図である。
【００１５】
図１において、本体１は、電動送風機（図示せず）を内蔵し、ダストカップ２に塵埃を送り込む構成にしている。３は本体を持って移動するときに掴む本体ハンドルであり、４は電気掃除機を運転するときに掴むハンドル部である。５は延長パイプであり、６のボタンを押すことにより、ロックが外れ、延長パイプ５を引き抜くことができる。
９は吸込具本体であり、床面から塵埃を吸引する。７は本体スイッチであり、８は吸込具本体９のスイッチである。１０はローラーであり、１１は本体をスタンド状態に保持しているロック解除のペダルである。
【００１６】
吸込具本体９内や本体１内に物が詰まった場合、除去しやすいように、本体１と吸込具パイプ１２は着脱できるようになっている。１３はダストカップ２のハンドルであり、本体１に装着している場合は図１のようにしてダストカップ２が本体１から外れないようにロックが掛かっている。また、ハンドル１３を立てることで、ロックを解除することができ、本体１からダストカップ２を取り外すことができる。１４はダストカップフタであり、ゴミ捨て時に開けてゴミをすてられるようになっている。１５は本体１に設けた電気回
路（図示せず）に通電させる電源コードである。
【００１７】
図２において、吸込具本体９は吸込具ウエ部材１６、バンパー１７、ブラシカバー１８、吸込具シタ部材１９、連結パイプ２０により構成されている。吸込具ウエ部材１６、ブラシカバー１８、吸込具シタ部材１９に囲まれた空間が吸込室２１であり、この吸込室２１内に回転ブラシ２４が回動自在に収納されている。また、この回転ブラシ２４は、吸込具本体９内に設けた電動機（図示せず）によりベルト（図示せず）を介して回転させている。
【００１８】
連結パイプ２０の端部には吸引口２６が設けてあり、この吸引口２６が吸込室２１に連通することで、電動送風機の吸引力が吸込室２１に作用し、吸込具シタ部材１９の下方に開口した開口部２８より吸引風が流入する。
【００１９】
吸込室２１の天面を形成する吸込具ウエ部材１６の内面には、回転ブラシ２４の回転方向に沿って下降する傾斜面ａ２３を有した溝部Ａ２２を、回転ブラシ２４の直径の投影範囲内で、かつ吸込室２１の長手方向に沿って形成している。
【００２０】
上記構成において動作を説明する。本体１の電源コード１５をコンセントに差込み、本体スイッチ７を押して、本体１に内蔵された電動送風機を動かし、本体１のハンドル握り４を持ってペダル１１を踏みロックを外して本体１を傾ける。傾けることで、吸込具本体９内の安全ＳＷが動作して、吸込具用スイッチ８を押すと吸込具本体９内の電動機が駆動し、回転ブラシ２４が回転する。吸込具用スイッチ８があるのは、床面がフローリングあるいは、畳では回転ブラシ２４の回転を停止させて掃除することができるが、カーペット等の敷物がある場合は、通常、回転ブラシ２４を回転駆動させるためのボタンである。
【００２１】
また、安全ＳＷは、スタンド状態で回転ブラシ２４を回すと、回転ブラシ２４のブラシ２５が床面に部分的に当たり、カーペットを傷める等があり、使用状態にならないと安全ＳＷが動作しないようにしている。
【００２２】
吸込具本体９を床面上で操作し、塵埃をダストカップ２内に捕集したら、ダストカップ２のハンドル１３を立ててロックを外し、ダストカップ２を本体１から外し、ダストカップ２内に溜まった塵埃をダストカップフタ１４を開けて捨てる。捨て終わったらダストカップフタ１４を戻し、ダストカップ２を本体１に装着する。
【００２３】
また、掃除の途中で、吸込具本体９が入らないスペース、あるいは棚のように高いところの掃除についいては、ボタン６を押し、延長パイプ５を本体１から外し延長パイプ５の先端から塵埃を吸うことができる。
【００２４】
本体１の電動送風機が動くことで、吸込具本体９のブラシカバー１８と床面との間から空気が流れ込み、吸込具シタ部材１９の下方に開口した開口部２８より吸引風が流入し、回転ブラシ２４の床面側を通り、吸引口２６から連結パイプ２０に流れる気流ａ２９が発生する。
【００２５】
回転ブラシ２４を回転させた場合は前記の気流ａ２９に加えて、回転ブラシ２４のブラシ２５が回転（図２において左回転）することで、ブラシ２５がもたらす回転方向への空気を押し出す気流ｂ３０が、回転ブラシ２４と、吸込具ウエ部材１６およびブラシカバー１８との間で発生する。そして、気流ｂ３０は吸込室２１内の壁に沿いブラシカバー１８と床面から入ってくる空気と合流し吸引口２６に流れていく。
【００２６】
このとき、ブラシ２５により塵埃はカーペットから掻き出され、砂ゴミ等はそのまま吸
引口２６に流れるが、綿ゴミは流れるものもあれば、ブラシ２５のブラシとブラシの間に挟まり吸引口２６での吸引力で外れない場合は、そのままブラシ２５内に残る、あるいは、次にカーペットに当たった場合に外れるということになる。
【００２７】
しかしながら、本願発明のように、吸込室２１の天面を形成する吸込具ウエ部材１６の内面に、回転ブラシ２４の回転方向に沿って下降する傾斜面ａ２３を有した溝部Ａ２２を、回転ブラシ２４の直径の投影範囲内で、かつ吸込室２１の長手方向に沿って形成することにより、吸込室２１の壁に沿って流れる気流ｂ３０が、溝部Ａ２２の傾斜面ａ２３に当たり跳ね返って回転ブラシ２４のブラシ２５方向に生じてできた気流ｃ３１と、吸込室２１の壁に沿って流れる気流ｂ３０とが衝突し合って乱流となり、ブラシ２５が回るための空気抵抗となり、空気自体がブラシ２５のブラシとブラシの隙間を広げるように働き、ブラシ２５に挟まった綿ゴミ等を除去することができる。
【００２８】
以上のような実施の形態１の構成をとることにより、回転ブラシ２４のブラシ２５から綿ゴミ等を除去させることができ、集塵性能が良く、使い勝手のよい電気掃除機を提供することができる。
【００２９】
（実施の形態２）
次に本発明の実施の形態２における電気掃除機について、図３を用いて説明する。実施の形態１と同じ構成についての説明は省略する。図３は、本発明の実施の形態２における吸込具本体の前面方向の要部断面図である。
【００３０】
図３において、吸込室２１内に回転ブラシ２４が回動自在に収納されている。また、この回転ブラシ２４は、吸込具本体９内に設けた電動機（図示せず）によりベルト（図示せず）を介して回転させている。連結パイプ２０の端部には吸引口２６が設けてあり、この吸引口２６が吸込室２１に連通させている。
【００３１】
吸込室２１の天面を形成する吸込具ウエ部材１６の内面には、吸引口２６に向けて下降する傾斜面ｂ３２を有した溝部Ｂ３３を、回転ブラシ２４の直径の投影範囲内で、かつ溝部Ａ２２の両端部と接続するように左右に各々形成している。
【００３２】
上記構成において動作を説明する。本体１の電動送風機が動くことで、吸込具本体９のブラシカバー１８と床面との間の吸込具本体９の前面から、また回転ブラシ２４の両側方における床面との間から、吸込具シタ部材１９の下方に開口した開口部２８を通じて吸引風が流れ込む。その際、吸込具本体９の両サイド付近から吸込具ウエ部材１６と吸込具シタ部材１９に沿って、吸引口２６に向かって流れていく気流ｄ３４が発生する。
【００３３】
回転ブラシ２４を回転させた場合は前記の気流ｄ３４に加えて、回転ブラシ２４のブラシ２５が回転（図２において左回転）することで、ブラシ２５がもたらす回転方向への空気を押し出す気流ｂ３０が、回転ブラシ２４と、吸込具ウエ部材１６およびブラシカバー１８との間で発生する。
【００３４】
このとき、ブラシ２５により塵埃はカーペットから掻き出され、砂ゴミ等はそのまま吸引口２６に流れるが、綿ゴミは流れるものもあれば、ブラシ２５のブラシとブラシの間に挟まり吸引口２６での吸引力で外れない場合は、そのままブラシ２５内に残る、あるいは、次にカーペットに当たった場合に外れるということになる。
【００３５】
しかしながら、本願発明のように、吸込室２１の天面を形成する吸込具ウエ部材１６の内面に、吸引口２６に向けて下降する傾斜面ｂ３２を有した溝部Ｂ３３を、回転ブラシ２４の直径の投影範囲内で、かつ溝部Ａ２２の両端部と接続するように左右に各々形成した
ことにより、吸込具本体９の両サイド付近から吸込具ウエ部材１６と吸込具シタ部材１９に沿って、吸引口２６へと流れていく気流ｄ３４が、溝部Ｂ３３の傾斜面ｂ３２に当たり跳ね返って回転ブラシ２４のブラシ２５方向に生じてできた気流ｅ３５と、吸込室２１の壁に沿って流れる気流ｂ３０とが衝突し合って乱流となり、ブラシ２５が回るための空気抵抗となり、空気自体がブラシ２５のブラシとブラシの隙間を広げるように働き、ブラシ２５に挟まった綿ゴミ等を除去することができる。
【００３６】
以上のような実施の形態２の構成をとることにより、回転ブラシ２４のブラシ２５から綿ゴミ等を除去させることができ、集塵性能が良く、使い勝手のよい電気掃除機を提供することができる。
【００３７】
（実施の形態３）
次に本発明の実施の形態３における電気掃除機について、図４、図５を用いて説明する。実施の形態１、２と同じ構成についての説明は省略する。図４は、本発明の実施の形態３における吸込具本体の要部側断面図であり、図５は、同、吸込具本体の前面方向の要部断面図である。
【００３８】
図４、図５において、吸込室２１の天面を形成する吸込具ウエ部材１６を、第１の部品１６ａとこの第１の部品１６ａの周囲を取り囲む第２の部品１６ｂとで構成しており、溝部Ａ２２および溝部Ｂ３３は、共に前記第１の部品１６ａと前記第２の部品１６ｂとの接合部に構成している。一例として、溝部Ａ２２は、第１の部品１６ａで形成された傾斜面ａ２３と、第２の部品１６ｂで形成された端部が合わさって構成されているものである。そして、溝部Ｂ２２も同様に構成されているものである。
【００３９】
上記構成によって、回転ブラシ２４の回転方向に沿って下降する傾斜面ａ２３を有し、吸込室２１の長手方向に沿って形成した溝部Ａ２２と、吸引口２６に向けて下降する傾斜面ｂ３２を有した溝部Ｂ３３を、回転ブラシ２４の直径の投影範囲内で、かつ溝部Ａ２２の両端部と接続するように左右に各々形成することができ、上述の実施の形態１、２で述べた溝部Ａ２２の傾斜面ａ２３による作用と、溝部Ｂ３３の傾斜面ｂ３２の作用とが相乗して行われるようになり、吸込室２１の壁に沿って流れる気流ｂ３０とが衝突し合って発生する乱流がより大きくなり、ブラシ２５が回るための空気抵抗もより大きくなり、空気自体がブラシ２５のブラシとブラシの隙間をより大きく広げるように働き、ブラシ２５に挟まった綿ゴミ等を除去することができる。
【００４０】
なお、吸込具ウエ部材１６を形成する第１の部品１６ａを透明部材にした場合は、第１の部品１６ａと第２の部品１６ｂの接合部に第２の部品１６ｂが溶け出すことがあり、第１の部品１６ａの厚みを、傾斜面ａ２３ならびに傾斜面ｂ３２を用いて徐々に薄くし、第２の部品１６ｂと接合するまでに傾斜面の長さより短い直線部を設け、第２の部品１６ｂ上での厚みと同じにして成形することで第１の部品１６ａの溶け込みを防止することができる。このように接合部での溶け込み防止を配慮して形成された溝部Ａ２２と溝部Ｂ３３の各々の形状は、傾斜面と短い直線部を有するため、略台形の形状をした溝部Ａ２２と溝部Ｂ３３の形となる。
【００４１】
以上のような実施の形態３の構成をとることにより、回転ブラシ２４のブラシ２５から綿ゴミ等を除去させることができ、集塵性能が良く、使い勝手と見栄えのよい電気掃除機を提供することができる。
【産業上の利用可能性】
【００４２】
以上のように、本発明に係る電気掃除機は、回転ブラシにより発生する気流を吸込室の天面に設けられた溝の傾斜面に当てて乱流を起こすことにより、回転ブラシのブラシから
綿ゴミを除去させることができ、集塵性能が良く、使い勝手をよくすることができるため、一般家庭用の電気掃除機のみならず、産業用の電気掃除機にも広範囲に利用することができる。
【符号の説明】
【００４３】
９  吸込具本体
１６  吸込具ウエ部材
１６ａ  第１の部品
１６ｂ  第２の部品
２１  吸込室
２２  溝部Ａ
２３  傾斜面ａ
２４  回転ブラシ
２５  ブラシ
２６  吸引口
２８  開口部
３２  傾斜面ｂ
３３  溝部Ｂ
【図１】
0005887495.tif 000002
【図２】
0005887495.tif 000003
【図３】
0005887495.tif 000004
【図４】
0005887495.tif 000005
【図５】
0005887495.tif 000006